(57)【要約】  【課題】  半導体ウェーハの処理工程毎の在庫情報を顧客側の端末装置に表示する。  【解決手段】  記憶手段（データベース）２４には半導体ウェーハの完成品・未完成品・仕掛け品の品数データが記憶されている。顧客側端末装置１１で所定操作が行われると、情報開示サーバ２２に画面情報転送指令が転送される。情報開示サーバ２２はデータベース２４から品数データを検索し、画面データを生成し、顧客側端末装置１１に転送する。すると、顧客側端末装置１１にはその顧客に応じた半導体ウェーハの完成品・未完成品・仕掛け品の品数情報が表示される。  【選択図】  図１
2005032094.tif 000002
【特許請求の範囲】
【請求項１】
複数の処理工程を経て形成される半導体ウェーハの情報を顧客側端末装置に表示する半導体ウェーハの製造情報開示システムにおいて、
処理を終了した製品の品数情報および処理を仕掛かっている仕掛け品の品数情報を各処理工程毎に記憶する記憶手段と、
記憶手段の品数情報に基づいて、各処理工程毎の品数情報を含む画面情報を生成する情報開示サーバと、を備え、
顧客側端末装置と情報開示サーバは通信手段で通信可能に接続され、
顧客側端末装置で所定の操作が行われると、顧客側端末装置から情報開示サーバに画面情報転送指令が転送され、情報開示サーバで画面情報転送指令に応じた画面情報が生成され、情報開示サーバから顧客側端末装置に画面情報が転送され、顧客側端末装置で各処理工程毎の品数情報が表示されること
を特徴とする半導体ウェーハの製造情報開示システム。
【請求項２】
前記記憶手段は、顧客の注文に割り当てられていない半導体ウェーハに対する品数情報を記憶すること
を特徴とする請求項１記載の半導体ウェーハの製造情報開示システム。
【請求項３】
更に生産者側端末装置とメールサーバとを備え、
顧客側端末装置と生産者側端末装置とメールサーバは通信手段で通信可能に接続され、
情報開示サーバから転送された画面情報に基づいく画面が顧客側端末装置に表示された状態で、画面上の所定箇所に注文数量が入力されると、注文数量情報がメールサーバに転送されるとともに蓄積され、生産者側端末装置でメールサーバにアクセスされると、蓄積された注文数量情報が生産者側端末装置に表示されること
を特徴とする請求項２記載の半導体ウェーハの製造情報開示システム。
【発明の詳細な説明】
【技術分野】
【０００１】
本発明は、複数の処理工程を経て形成される半導体ウェーハの情報を顧客側端末装置に表示する半導体ウェーハの製造情報開示システムに関する。
【背景技術】
【０００２】
半導体ウェーハは様々な処理工程を経て形成される。これらの処理工程には、例えば、単結晶製造や、ラッピングや、エッチングや、拡散や、鏡面仕上げや、水素処理や、エピタキシャル成長等がある。これらの処理工程は各工場で行われる。一つの処理工程が終了すると、その製品は次の処理工程が行われる工場へ搬送される。そして最終的な処理工程が終了した製品は、検査が行われた後に顧客に出荷される。なお、本明細書では、最終的な処理工程が終了した製品を「完成品」といい、最終的な処理工程を除いた何れかの処理工程が終了した製品を「未完成品」といい、何れかの処理工程が仕掛かっている製品を「仕掛け品」という。
【０００３】
半導体ウェーハの生産形態には、顧客からの注文に応じて製品が製造される所謂受注生産が採用されている。受注生産によれば、顧客からの注文数に応じた分量だけ製品を製造すればよい。したがって、受注生産は大量生産と比較して在庫が発生し難いという利点がある。
【０００４】
しかし実際には、半導体ウェーハの受注生産では在庫が発生する。これは下記（１）〜（４）のような理由による。  
（１）通常は歩留まり等が考慮され、注文数よりも余分に製品が製造される。このため、最終的には残余する完成品が発生し、その完成品が在庫品となる。  
（２）半導体ウェーハの出荷はケース単位で行われており、端数が発生する場合がある。例えば、１ケースの収容単位数が２５枚である場合、完成品が２５枚に満たないケースは単位数不足として出荷されない。このような状況における端数１〜２４枚の完成品が在庫品となる。  
（３）顧客からの注文によって製造を始めたものの、製造段階で一部キャンセルが発生する場合がある。すると、キャンセル発生段階でキャンセル分の完成品・未完成品が在庫品となる。  
（４）顧客からの注文に対して迅速に対応すべく、受注生産とは別に先行生産が行われている。先行生産で製造された未完成品・完成品は、顧客からの注文に対して優先的に充当される。しかし、顧客からの注文がない場合は、先行生産分の未完成品・完成品が在庫品となる。
【０００５】
在庫品が発生すると在庫品を維持するための維持費が必要となり、コスト上昇につながる。しかし、在庫品の発生は上記（１）〜（４）等の理由によって避けられない。そこで、生産者は定期的（毎月末等）に在庫品の一覧表を用紙に印刷し、この一覧表を対象となる顧客に配付する等の販売活動を行っている。こうして生産者は、顧客に在庫情報を積極的に開示することによって在庫品を極力減少させるようにしている。
【０００６】
ところで、半導体ウェーハとは関係ないが、顧客側の端末装置を利用して在庫情報を開示する一般的な技術は、例えば下記特許文献１に示されている。下記特許文献１は木材の流通システムに関する技術であり、顧客側の端末装置と業者側のサーバ装置とが通信回線で通信自在に接続されている。サーバ装置には木材の種類、数量、保管場所等からなる在庫データを記憶するデータベースが備えられている。顧客側の端末装置で所定の入力操作がなされると、業者側のサーバ装置から顧客側の端末装置に在庫データが転送され、顧客側の端末装置のディスプレイに在庫品の情報が表示される。
【０００７】
【特許文献１】特開２００１−３２５４９６号公報（第９頁、表４）
【発明の開示】
【発明が解決しようとする課題】
【０００８】
半導体ウェーハの在庫情報を開示することに関しては、用紙を利用するのではなく、上記特許文献１の技術のように、顧客側の端末装置を利用することが要望されている。
【０００９】
しかし、上記特許文献１に示される木材の在庫品の発生形態と半導体ウェーハの在庫品の発生形態は異なっており、単純に上記特許文献１の技術で半導体ウェーハの在庫情報を開示することはできない。上記特許文献１に代表される在庫情報を開示する技術は、出荷段階の完成品を在庫品として開示するものであり、製造途中の未完成品を在庫品として開示するものではない。つまり、従来の在庫情報を開示する技術は、半導体ウェーハの在庫品の発生態様に適合するものではなく、半導体ウェーハの在庫品の発生態様に適したものは存在しないのが実状である。
【００１０】
本発明はこうした実状に鑑みてなされたものであり、半導体ウェーハの処理工程毎の在庫情報を顧客側の端末装置に表示できるようにすることを解決課題とするものである。
【課題を解決するための手段】
【００１１】
そこで、第１発明は、
複数の処理工程を経て形成される半導体ウェーハの情報を顧客側端末装置に表示する半導体ウェーハの製造情報開示システムにおいて、
処理を終了した製品の品数情報および処理を仕掛かっている仕掛け品の品数情報を各処理工程毎に記憶する記憶手段と、
記憶手段の品数情報に基づいて、各処理工程毎の品数情報を含む画面情報を生成する情報開示サーバと、を備え、
顧客側端末装置と情報開示サーバは通信手段で通信可能に接続され、
顧客側端末装置で所定の操作が行われると、顧客側端末装置から情報開示サーバに画面情報転送指令が転送され、情報開示サーバで画面情報転送指令に応じた画面情報が生成され、情報開示サーバから顧客側端末装置に画面情報が転送され、顧客側端末装置で各処理工程毎の品数情報が表示されること
を特徴とする。
【００１２】
第１発明では、記憶手段（データベース）２４には半導体ウェーハの完成品・未完成品・仕掛け品の品数データが記憶されている。顧客側端末装置１１で所定操作が行われると、情報開示サーバ２２に画面情報転送指令が転送される。情報開示サーバ２２はデータベース２４から品数データを検索し、画面データを生成し、顧客側端末装置１１に転送する。すると、顧客側端末装置１１にはその顧客に応じた半導体ウェーハの完成品・未完成品・仕掛け品の品数情報が表示される。
【００１３】
また、第２発明は第１発明において、
前記記憶手段は、顧客の注文に割り当てられていない半導体ウェーハに対する品数情報を記憶すること
を特徴とする。
【００１４】
第２発明では、データベース２４に記憶される完成品・未完成品の情報は顧客の注文に割り当てられていない製品、すなわち在庫品の情報である。
【００１５】
また、第３発明は第２発明において、  更に生産者側端末装置とメールサーバとを備え、
顧客側端末装置と生産者側端末装置とメールサーバは通信手段で通信可能に接続され、
情報開示サーバから転送された画面情報に基づいく画面が顧客側端末装置に表示された状態で、画面上の所定箇所に注文数量が入力されると、注文数量情報がメールサーバに転送されるとともに蓄積され、生産者側端末装置でメールサーバにアクセスされると、蓄積された注文数量情報が生産者側端末装置に表示されること
を特徴とする。
【００１６】
第３発明では、第２発明によって顧客側端末装置１１に在庫品の情報が表示された状態で、画面上の所定箇所に注文数量が入力されると、生産者側のメールサーバ２３に注文数量データを含む電子メールが転送される。生産者側端末装置２１でメールサーバ２３にアクセスすると注文数量が表示される。
【発明の効果】
【００１７】
第１発明によれば、生産者は顧客に対して注文品の製造進捗情報を顧客側端末装置を介して開示することができる。
【００１８】
第２発明によれば、生産者は顧客に対して完成品・未完成品の最新在庫情報を顧客側端末装置を介して開示することができる。顧客側からすれば、何時でも完成品・未完成品の在庫を確認することができる。したがって、従来のように定期的に在庫リストを開示する方法よりも、在庫販売が促進されるといえる。
【００１９】
第３発明によれば、顧客は半導体ウェーハの在庫を確認しつつ注文することができる。したがって、従来のように定期的に在庫リストを開示する方法よりも、在庫販売が促進されるといえる。
【発明を実施するための最良の形態】
【００２０】
以下に、本発明の実施形態を図面を参照して説明する。
【００２１】
図１は、本実施形態に係るシステム構成図である。
【００２２】
顧客側１０の各種装置と生産者側２０の各種装置はインターネット５を介して相互に送受信可能に接続されている。顧客側１０には顧客側端末装置１１が設けられており、生産者側２０には生産者側端末装置２１と情報開示サーバ２２とメールサーバ２３とデータベース２４が設けられている。
【００２３】
インターネット５ではＷＷＷ（ワールドワイドウェブ）などのサービスを提供している。インターネット５においては、データは、所定のプロトコル（ＴＣＰ／ＩＰ）にしたがって送受信される。なお、インターネット２４でなくＶＡＮなどでもよい。
【００２４】
顧客側端末装置１１は、例えばパーソナルコンピュータであって、ディスプレイ等の表示装置と、キーボードやマウス等の入力装置を有する。この顧客側端末装置１１には、ＷＷＷブラウザのようにＷｅｂページを表示装置にて閲覧するためのソフトウェアがインストールされている。また、後述する所定画面７０、８０が表示装置上に表示された状態で注文数量が入力された場合に、メールサーバ２２に注文数量データを電子メールとして転送するためのソフトウェアがインストールされている。なお、顧客側端末装置１１は、中継基地を介して無線でインターネットと情報を送受信する手段、例えば携帯電話やＰＨＳや通信機能を備えた携帯用のパーソナルコンピュータ等のような携帯用の端末装置でもよい。
【００２５】
生産者側２０には各工場、各支店が存在しており、各工場、各支店の各種装置はＷＡＮで接続されている。インターネット５とＷＡＮと専用回線で接続されている。
【００２６】
生産者側端末装置２１は、例えばパーソナルコンピュータであって、ディスプレイ等の表示装置と、キーボードやマウス等の入力装置を有する。この生産者側端末装置２１には、顧客側端末装置１１からメールサーバ２２に転送された注文数量メールの内容を表示装置にて閲覧するためのソフトウェアがインストールされている。
【００２７】
情報開示サーバ２２は、Ｗｅｂページの画面データを生成し、データ転送指令先に画面データを転送するためのソフトウェアがインストールされている。また、データベース２４を管理するためのソフトウェアがインストールされている。なお、ここでは情報開示サーバ２２に画面データ生成、データベース管理の機能を集約させているが、例えばＷｅｂサーバやデータベースサーバ等の各種サーバを設け、機能を分散させてもよい。
【００２８】
メールサーバ２３は、顧客側端末装置１１から転送された電子メールを蓄積し、生産者側端末装置２１がアクセスされた場合に、生産者側端末装置２１に電子メールを転送するためのソフトウェアがインストールされている。
【００２９】
データベース２４は、完成品の数や処理工程毎の未完成品の数や仕掛け品の数を記憶する。さらに、データベース２４は半導体ウェーハに関して、後述する各種画面５０、６０、７０、８０に表示される各種データを記憶する。データベース２４に記憶された半導体ウェーハの完成品・未完成品・仕掛け品のデータは、各工場における製造処理工程の進捗に応じて更新される。その方法は完成品・未完成品・仕掛け品の数が自動でカウントされるようにし、そのデータが送信されてデータが更新されるようにしてもよいし、完成品・未完成品・仕掛け品の数を作業員が端末装置で入力し、そのデータが送信されてデータが更新されるようにしてもよい。
【００３０】
図２は本実施形態における画面遷移及び各画面の一例を示す図である。  
図２の矢印で示すように各画面は遷移する。次に各画面で表示されるデータ内容について説明する。
【００３１】
［ログイン画面］
図３はログイン画面を示す図である。  
この画面３０は、顧客のシステムＩＤの入力部３１とパスワードの入力部３２を有する。また、入力されたシステムＩＤとパスワードのデータをサーバ側へ転送するための実行ボタン３３を有する。画面３０でシステムＩＤが入力されると、以降の各画面４０、５０、６０、７０、８０ではシステムＩＤに対応する顧客の情報のみが表示される。
【００３２】
［メニュー画面］
図４はメニュー画面を示す図である。  
この画面４０は、後述する画面５０（生産・在庫・仕掛け情報画面）や、画面６０（未注番在庫情報画面）や、画面７０（工程進捗・納期情報画面）や、画面８０（派生品在庫情報画面）への画面遷移を指示するための画面指示ボタン４１〜４４を有する。また、画面３０（ログイン画面）への画面遷移を指示するためのボタン４５を有する。
【００３３】
［生産・在庫・仕掛け情報画面］
図５は生産・在庫・仕掛け情報画面を示す図である。  
画面５０には、製品の生産状況及び在庫状況が表示される。この画面５０は表５１を有し、表５１は次の各項目からなる。  
Ｎｏ…画面表示される半導体ウェーハの通し番号
お客様 品番…半導体ウェーハ毎に割り当てられた製品番号
お客様 注文番号…注文に対して割り当てられた番号
納期指定日…顧客から指定された納入期日
出荷計画日…各処理工程毎の在庫数と受注数とに基づいて演算された出荷予定日
枚数…製造計画した予定製品数
出荷済み数量…顧客側へ出荷が済んだ製品数
製品・半製品量…完成品・未完成品の全在庫数
生産量…仕掛け品数  
表５１の各項目に表示される各データはデータベース２４に記憶されている。
【００３４】
画面表示される半導体ウェーハの種類が所定数（図５では１０種類）を超える場合には、画面５０は複数頁設けられる。画面５０は、前頁への画面遷移を指示するための画面指示ボタン５２を有し、次頁への画面遷移を指示するための画面指示ボタン５３を有する。更に、画面４０（メニュー画面）への画面遷移を指示するための画面指示ボタン５４を有し、画面６０（未注番在庫情報画面）、画面７０（工程進捗・納期情報画面）への画面遷移を指示するための画面指示ボタン５５、５６を有する。
【００３５】
［工程進捗・納期情報画面］
図６は工程進捗・納期情報画面を示す図である。  
画面６０には、顧客からの注文があった製品の製造進捗状況が表示される。この画面６０は表６１を有し、表６１は次の各項目からなる。  
Ｎｏ…画面表示される半導体ウェーハの通し番号
お客様 品番…半導体ウェーハ毎に割り当てられた製品番号
お客様注文番号…注文に対して割り当てられた番号
納期指定日…顧客から指定された納入期日
出荷計画日…各処理工程毎の在庫量と受注量とに基づいて演算された出荷予定日
生産量…仕掛け品数
ステータス…各製造工程毎の未完成品数及び仕掛け品数、完成品数
ステータスの内訳は“Ｓ”、“Ｗ”、“ＤＷ”、“ＰＷ”、“ＨＧ”、“ＥＰ”、“出荷”とされている。“Ｓ”とは単結晶製造工程を意味し、“Ｗ”とはラッピング、エッチング工程を意味し、“ＤＷ”とは拡散工程を意味し、“ＰＷ”とは鏡面工程を意味し、“ＨＧ”とは水素処理鏡面工程を意味し、“ＥＰ”とはエピタキシャル工程を意味する。また、“出荷”とは出荷段階を意味する。なお、ステータスで示される数は、製品に換算した場合の枚数である。例えば、“Ｓ”で示される数は、単結晶の重量と製品１枚当たりの重量と取得率とに基づいて、製品に換算した場合の枚数が演算され、表示される。  
表６１の各項目に表示される各データはデータベース２４に記憶されている。
【００３６】
画面表示される半導体ウェーハの種類が所定数（図６では１０種類）を超える場合には、画面６０は複数頁設けられる。画面６０は、前頁への画面遷移を指示するための画面指示ボタン５２を有し、次頁への画面遷移を指示するための画面指示ボタン６３を有する。更に、画面４０（メニュー画面）への画面遷移を指示するための画面指示ボタン６４を有する。
【００３７】
［未引当て在庫情報画面］
図７は未引当て在庫情報画面を示す図である。  
画面７０には、顧客の注文に引き当てられていない完成品・未完成品の在庫が表示される。この画面７０は表７１を有し、表７１は次の各項目からなる。  
Ｎｏ…画面表示される半導体ウェーハの通し番号
お客様 品番…半導体ウェーハ毎に割り当てられた製品番号
未注番製品・半製品在庫…各処理工程毎の未完成品の在庫数
仮押さえ数量…顧客側が注文数を入力する入力部７１ａ
未注番製品・半製品在庫の内訳は“Ｓ”、“Ｗ”、“ＤＷ”、“ＰＷ”、“ＨＧ”、“ＥＰ”とされている。“Ｓ”とは単結晶製造工程を意味し、“Ｗ”とはラッピング、エッチング工程を意味し、“ＤＷ”とは拡散工程を意味し、“ＰＷ”とは鏡面工程を意味し、“ＨＧ”とは水素処理鏡面工程を意味し、“ＥＰ”とはエピタキシャル工程を意味する。なお、未注番製品・半製品在庫で示される数は、製品に換算した場合の枚数である。例えば、“Ｓ”で示される数は、単結晶の重量と製品１枚当たりの重量と取得率とに基づいて、製品に換算した場合の枚数が演算され、表示される。  
表７１の仮押さえ数量を除いた各項目に表示される各データは、データベース２４に記憶されている。
【００３８】
画面表示される半導体ウェーハの種類が所定数（図７では１０種類）を超える場合には、画面７０は複数頁設けられる。画面７０は、前頁への画面遷移を指示するための画面指示ボタン７２を有し、次頁への画面遷移を指示するための画面指示ボタン７３を有する。更に、画面４０（メニュー画面）への画面遷移を指示するための画面指示ボタン７４を有する。また、入力部７１ａに入力された注文数を生産者側へ送信するための実行ボタン７５を有する。
【００３９】
［派生品在庫情報画面］
図８は派生品在庫情報画面を示す図である。  
画面８０には、派生品の情報が表示される。派生品とは出荷段階で発生した在庫品をいう。例えば、顧客からのキャンセルが発生した製品や、ケースの収容単位数に満たない場合の端数製品等がここには含まれる。この画面８０は表８１を有し、表８１は次の各項目からなる。  
Ｎｏ…画面表示される半導体ウェーハの通し番号
お客様 品番…半導体ウェーハ毎に割り当てられた製品番号
派生品の量…派生品の在庫数
派生の理由…派生品の発生理由
即納可否…再洗浄が要の場合は即納不可（×）、不要の場合は即納可（○）
仮押さえ数量…顧客側が注文数を入力する入力部８１ａ
表８１の仮押さえ数量を除いた各項目に表示される各データは、データベース２４に記憶されている。
【００４０】
画面表示される半導体ウェーハの種類が所定数（図８では１０種類）を超える場合には、画面８０は複数頁設けられる。画面８０は、前頁への画面遷移を指示するための画面指示ボタン８２を有し、次頁への画面遷移を指示するための画面指示ボタン８３を有する。更に、画面４０（メニュー画面）への画面遷移を指示するための画面指示ボタン８４を有する。また、入力部８１ａに入力された注文数を生産者側へ送信するための実行ボタン８５を有する。
【００４１】
次に本実施形態の動作について説明する。
【００４２】
顧客側端末装置１１で情報開示サーバ２２にアクセスすると、画面３０の画面データが情報開示サーバ２２から顧客側端末装置１１にインターネット５を介して転送される。すると、画面３０が顧客側端末装置１１の表示装置に表示される。
【００４３】
顧客が画面３０の入力部３１、３２に自己のシステムＩＤ及びパスワードを入力し、実行ボタン３３をクリック操作した場合、入力されたシステムＩＤ及びパスワードのデータが顧客側端末装置１１から情報開示サーバ２２にインターネット５を介して転送される。これらのデータの整合性が情報開示サーバ２２で確認されると、画面４０の画面データが情報開示サーバ２２から顧客側端末装置１１にインターネット５を介して転送される。すると、画面４０が顧客側端末装置１１の表示部に表示される。
【００４４】
例えば、顧客が画面４０の画面指示ボタン４１をクリック操作した場合、画面５０の転送を指示する画面情報転送指令が顧客側端末装置１１から情報開示サーバ２２にインターネット５を介して転送される。情報開示サーバ２２は、システムＩＤに対応し且つ画面５０に表示される各種データをデータベース２４から検索し、画面５０の画面データを生成する。生成された画面５０の画面データは情報開示サーバ２２から顧客側端末装置１１にインターネット５を介して転送される。すると、顧客側端末装置１１の表示装置に画面５０が表示される。
【００４５】
画面４０から画面６０、７０、８０への画面遷移、画面５０から画面７０、８０への画面遷移、各画面５０、６０、７０、８０の次画面又は前画面への画面遷移は、画面４０から画面５０への画面遷移と同様にして行われる。すなわち、画面情報転送指令が顧客側端末装置１１から情報開示サーバ２２に転送されると、情報開示サーバ２２で画面情報転送指令に応じた画面データが生成され、情報開示サーバ２２から顧客側端末装置１１に画面データが転送されることによって、顧客側端末装置１１の表示装置に各画面が表示される。
【００４６】
ここまでは顧客側端末装置１１の表示装置に半導体ウェーハの情報を表示することについて説明したが、本実施形態では、顧客側端末装置１１から半導体ウェーハの注文を行うこともできる。  
顧客が画面７０の入力部７１ａに注文数量を入力し、実行ボタン７５をクリック操作した場合、注文数量データが電子メールとして顧客側端末装置１１からメールサーバ２３にインターネット５を介して転送される。この電子メールはメールサーバ２３で保管される。生産者側端末装置２１によってメールサーバ２３にアクセスされると、生産者側端末装置２１の表示装置に電子メールの内容、すなわち注文数量が表示される。よって、生産者は注文数量を確認できる。生産者はこのメール内容に応じて、在庫する未完成品を再び生産ラインにのせるよう工場に指示を出す。
【００４７】
同様に、顧客が画面８０の入力部８１ａに注文数量を入力し、実行ボタン８５をクリック操作した場合、注文数量データが電子メールとして顧客側端末装置１１からメールサーバ２３にインターネット５を介して転送される。この電子メールはメールサーバ２３で保管される。生産者はこのメール内容に応じて、在庫する完成品が出荷するよう工場に指示を出す。
【００４８】
本実施形態によれば、生産者は顧客に対して注文品の製造進捗情報を顧客側端末装置を介して開示することができる。更に、生産者は顧客に対して完成品・未完成品の最新在庫情報を顧客側端末装置を介して開示することができる。顧客側からすれば、何時でも完成品・未完成品の在庫を確認することができる。また、顧客は半導体ウェーハの在庫を確認しつつ注文することができる。以上のことによって、従来のように定期的に在庫リストを開示する方法よりも、在庫販売が促進されるといえる。
【図面の簡単な説明】
【００４９】
【図１】図１は、本実施形態に係るシステム構成図である。
【図２】図２は本実施形態における画面遷移及び各画面の一例を示す図である。
【図３】図３はログイン画面を示す図である。
【図４】図４はメニュー画面を示す図である。
【図５】図５は生産・在庫・仕掛け情報画面を示す図である。
【図６】図６は工程進捗・納期情報画面を示す図である。
【図７】図７は未引当て在庫情報画面を示す図である。
【図８】図８は派生品在庫情報画面を示す図である。
【符号の説明】
【００５０】
５    インターネット
１１  顧客側端末装置
２１  生産者側端末装置
２２  情報開示サーバ
２３  メールサーバ
２４  データベース
【図１】
2005032094.tif 000003
【図２】
2005032094.tif 000004
【図３】
2005032094.tif 000005
【図４】
2005032094.tif 000006
【図５】
2005032094.tif 000007
【図６】
2005032094.tif 000008
【図７】
2005032094.tif 000009
【図８】
2005032094.tif 000010